(57)【要約】  【課題】写真処理装置の画面に表示されている写真画像データが、自動的に判断して施されるまるめ処理が既に施されたものであるのか否かを、オペレータが識別できるようにすること。  【解決手段】本発明にかかる写真処理装置は、写真画像データに対して濃度まるめ処理が必要か否かを自動的に判断する判断手段と、必要であると判断された写真画像データに対しては所定の条件でまるめ処理を自動的に施すまるめ処理手段と、まるめ処理が必要に応じて施された写真画像データを表示手段に表示しオペレータによる手動補正処理を受け付け得る手動補正手段と、を備えた写真処理装置において、前記表示手段に表示された写真画像データが、前記まるめ処理手段においてまるめ処理が施されたものであるか否かを識別する識別情報を生成する識別手段を備え、表示手段の画面に、写真画像データと並べて表示する。【選択図】      図４
2007043529.tif 000002
【特許請求の範囲】
【請求項１】
写真画像データに対して濃度まるめ処理が必要か否かを自動的に判断する判断手段と、必要であると判断された写真画像データに対しては所定の条件でまるめ処理を自動的に施すまるめ処理手段と、まるめ処理が必要に応じて施された写真画像データを表示手段に表示しオペレータによる手動補正処理を受け付け得る手動補正手段と、を備えた写真処理装置において、
前記表示手段に表示された写真画像データが、前記まるめ処理手段においてまるめ処理が施されたものであるか否かを識別する識別情報を生成する識別手段を備えたことを特徴とする写真処理装置。
【請求項２】
前記表示手段は、複数の写真画像データを並べて表示するように構成され、
前記識別手段は、前記表示手段に並べて表示された各写真画像データに対応する位置に識別情報を表示するように構成されていることを特徴とする請求項１に記載の写真処理装置。
【請求項３】
手動補正手段は、
前記まるめ処理手段において施されたまるめ処理を解除する解除手段と、
前記まるめ処理手段において施されるまるめ処理の条件を変更する変更手段と
を含んでいることを特徴とする請求項１または２の何れか１項に記載の写真処理装置。
【発明の詳細な説明】
【技術分野】
【０００１】
本発明は、写真画像データの濃度補正処理に関するものである。
【背景技術】
【０００２】
従来より、写真処理装置における画像補正処理のひとつに、濃度補正まるめ処理（以下、単に「まるめ処理」と言う。）と呼ばれる補正処理がある。このまるめ処理は、フィルムスキャナなどから入力された写真画像データの濃度補正が過補正気味の傾向がある場合には、写真画像データの濃度のオーバー（過剰）側またはアンダー（不足）側の濃度補正の補正強度を自動的に変更するものである。なお、フィルムスキャナなどから入力されたデータの濃度補正が過補正気味の傾向がない場合には施されない。このようなまるめ処理を施すか否かは、自動的に判断して処理される。
前記写真処理装置では、このようなまるめ処理を、各写真画像データに対して、必要に応じて自動的に施して、手動補正のための画面に表示され、オペレータによる手動補正を受け付け得る状態（この状態の画面をＰＪＰ画面と呼ぶ。）で待機するように構成されている。
【発明の開示】
【発明が解決しようとする課題】
【０００３】
上述したようなまるめ処理は、必要の有無が自動的に判断されて、必要な場合には自動的にまるめ処理が施されて、まるめ処理済の写真画像データがＰＪＰ画面に表示され、必要でない場合はまるめ処理が施されていない写真画像データがＰＪＰ画面に表示されるので、ＰＪＰ画面に表示される画像を見ただけでは、オペレータは、その画像がまるめ処理が施されたものであるか否かを知ることができなかった。
そのため、既にまるめ処理が施された画像をオペレータがＰＪＰ画面でチェックしたとき、まるめ処理の強度が不適切なだけであって、補正強度を変更すれば適正な状態になり得る画像であるのか、それとも、まるめ処理が施されていない画像であるから適正な補正を施すだけでよいのかを、オペレータが速やかに判断することが困難であった。
例えば、まるめ処理が施された画像に対して、さらに、オペレータが手動補正によってオーバー側またはアンダー側の濃度補正を施すと、適正な補正が得られない等の問題があったのである。
【０００４】
そこで、本発明は、表示されている写真画像データが、自動的に判断して施されるまるめ処理が既に施されたものであるのか否かを、オペレータに報知する機能を備えた写真処理装置の提供を目的として発明されたものである。
【課題を解決するための手段】
【０００５】
本発明にかかる請求項１の写真処理装置は、
写真画像データに対して濃度まるめ処理が必要か否かを自動的に判断する判断手段と、必要であると判断された写真画像データに対しては所定の条件でまるめ処理を自動的に施すまるめ処理手段と、まるめ処理が必要に応じて施された写真画像データを表示手段に表示しオペレータによる手動補正処理を受け付け得る手動補正手段と、を備えた写真処理装置において、
前記表示手段に表示された写真画像データが、前記まるめ処理手段においてまるめ処理が施されたものであるか否かを識別する識別情報を生成する識別手段を備えたことを特徴としている。
請求項２では、
前記表示手段は、複数の写真画像データを並べて表示するように構成され、
前記識別手段は、前記表示手段に並べて表示された各写真画像データに対応する位置に識別情報を表示するように構成されている。
請求項３では、
手動補正手段は、
前記まるめ処理手段において施されたまるめ処理を解除する解除手段と、前記まるめ処理手段において施されるまるめ処理の条件を変更する変更手段と
を含んでいる。
【発明の効果】
【０００６】
本発明にかかる請求項１の写真処理装置によれば、
表示手段に表示された写真画像データが、まるめ処理が施されたものであるか否かを識別する識別情報が生成されるので、オペレータは前記識別情報を確認することによって、適正な補正処理が必要か否かなどの判断を下すことが容易になる。
請求項２では、まるめ処理が施された写真画像データに対応する位置に識別情報が表示されるので、オペレータは前記識別情報を見るだけでまるめ処理の有無を知ることができ、適正な補正処理が必要か否かなどの判断を速やかに下すことが容易になる。
請求項３では、まるめ処理手段において施されたまるめ処理を解除することや変更することができるので、オペレータは適正な補正処理を速やかに決定して施すことが可能となる。
【発明を実施するための最良の形態】
【０００７】
以下に、本発明にかかる写真処理装置を、その実施の形態の写真処理装置を示した図面に基づいて詳細に説明する。
本実施形態に係る写真処理装置は、写真フィルムに記録されている画像を読み取って、適宜補正を施した写真画像データとして、各種媒体に出力するものであり、図１に示すように、フィルムスキャナ１と、画像処理部２と、出力部５とを備えている。
【０００８】
フィルムスキャナ１は、図２に示すように、写真フィルムに光を照射するスキャナ光源２１と、上記写真フィルムを搬送するためのフィルムキャリア２２と、スキャナ光源２１から出射され、上記写真フィルムを透過する光を測光することによって上記写真フィルムに記録された画像を取り込むスキャナユニット２３とで構成されている。
【０００９】
スキャナ光源２１は、光を出射するハロゲンランプ２４と、熱線吸収フィルタ２５と、調光フィルタ２６と、ミラー２７と、レンズボックス２８とを、光の進行方向に沿ってこの順で備えている。また、スキャナユニット２３は、スキャナレンズ（ズームレンズ）２９と、ミラー３０と、３板式のＣＣＤ(Charge Coupled Device) ３１とを、光の進行方向に沿ってこの順で備えている。また、ＣＣＤ３１は、Ａ／Ｄ（Analog to Digital ）変換部３２と接続されている。
【００１０】
したがって、ハロゲンランプ２４から出射された光は、熱線吸収フィルタ２５にて熱線成分が除去されて調光フィルタ２６に入射し、調光フィルタ２６にて調光された後、ミラー２７にて進行方向が変えられてレンズボックス２８に入射する。レンズボックス２８では、入射光がむらのない光に拡散され、この光がフィルムキャリア２２にて支持されている写真フィルムに照射される。
【００１１】
そして、写真フィルムを透過した光は、スキャナレンズ２９にて、ミラー３０を介してＣＣＤ３１の受光面に入射できるような光に変換され後、ミラー３０にて進行方向を変えられてＣＣＤ３１の受光面に入射する。そして、ＣＣＤ３１は、各画素での受光量に応じたアナログの電気信号をＲＧＢごとにＡ／Ｄ変換部３２に送り、これらの信号がＡ／Ｄ変換部３２にてデジタルの信号（画像データ）に変換される。これにより、写真フィルムに記録されている画像の各画素の画像データがＲＧＢごとに得られることになる。これらの画像データは、画像処理部２に送られる。
【００１２】
なお、フィルムスキャナ１にて得られる画像データは、写真フィルムに元々含まれる情報よりも取り得る値の範囲が狭いものとなっている。写真フィルムに含まれる情報は、例えば、０（黒）〜２５５（白）までの８ビットのデータ、０（黒）〜４０９５（白）までの１２ビットのデータ、０（黒）〜６５５３５（白）までの１６ビットのデータなどを考えることができる。
【００１３】
画像処理部２は、写真フィルムの１コマの画像を構成する各画素のＲＧＢの画像データからなる写真画像データに対して、コントラストや濃度を補正する処理を行うものであり、写真焼付装置に組み込まれたマイクロプロセッサおよび／またはＤＳＰ(Digital Signal Processor)などによって構成されてもよいし、装置の外部に設けられたＰＣ(Personal Computer) によって構成されてもよい。
また、前記画像処理部２は、この画像処理部２に各種の情報を入力するためのキーボードやマウスなどの入力手段３と、前記画像処理部２にて各種の処理が施された写真画像データを表示する表示手段４とを備えているとともに、前記画像処理部２にて所定の画像処理が施された写真画像データを各種の記録媒体などに出力する出力部５と接続されている。
【００１４】
次に、本発明の特徴である画像処理部２の詳細を説明する。
画像処理部２は、図１に示すように、
フィルムスキャナ１からの写真画像データおよび各種補正処理が施された後の写真画像データを一時的に格納する記憶手段２１と、
フィルムスキャナ１からの写真画像データをチェックして、当該写真画像データに対してまるめ処理が必要であるか否かを判断する判断手段２２と、
前記判断手段２２においてまるめ処理が必要であると判断された写真画像データに対してまるめ処理を施して、処理済のデータを前記記憶手段２１に一時的に格納するまるめ処理手段２３と、
前記まるめ処理手段２３によってまるめ処理が施されたデータを前記記憶手段２１から読み出して前記表示手段４の画面に表示する画面制御手段２４と、
識別情報としてのまるめ処理アイコン画像を生成するまるめ処理アイコン生成手段２４１と、
前記表示手段４の画面に表示されたデータに対して、オペレータが必要と判断した種々の補正処理にかかわる情報が前記入力手段３から入力されたときに、入力された情報に基づいた補正処理を施して、補正処理済のデータを前記記憶手段２１に格納するとともに、前記表示手段４に表示されるデータを補正処理済のデータに更新する手動補正手段２５と、
前記記憶手段２１に格納されているフィルムスキャナ１からの写真画像データ（まるめ処理が不要と判断されたデータ）、まるめ処理手段２３によって自動的なまるめ処理が施された写真画像データ、もしくは手動補正手段２５によってオペレータによる補正処理が施された写真画像データの何れかに対する処理を終了して出力すべきデータを、オペレータが前記入力手段３を操作して確定する確定手段２６と、
出力すべきデータとして確定された写真画像データを、前記出力部５に適したフォーマットに変換して出力する変換手段２７と
を備えている。
【００１５】
以上の構成における処理手順を、図１のブロック図と図３のフローチャートを参照して説明する。
フィルムスキャナ１から画像処理部２へ入力された写真画像データは、ステップＳ１において、記憶手段２１に一時的に格納され、まず、ステップＳ２において、判断手段２２によってまるめ処理が必要か否かがチェックされる。ステップＳ２において、まるめ処理が不要と判断された写真画像データは再び記憶手段２１に一時的に格納され、まるめ処理が必要と判断された写真画像データは、ステップＳ３において、まるめ処理手段２３によって所定の補正強度でまるめ処理が施されて再び記憶手段２１に一時的に格納される。なお、まるめ処理が必要と判断された場合には、適正な補正強度も算出されて、算出された補正強度でまるめ処理が施される。
ステップＳ４においては、前記まるめ処理手段２３においては、まるめ処理が施された写真画像データのまるめ処理フラグを立てて、記憶手段２１に格納する。
【００１６】
ステップＳ５においては、画面制御手段２４は、記憶手段２１に格納されているまるめ処理が施されなかった写真画像データ、もしくは施された写真画像データを読み出して表示手段４の画面に表示する。
このとき、画面制御手段２４は、写真画像データのまるめ処理フラグをチェックして、まるめ処理フラグが立っている場合には、まるめ処理アイコン生成手段２４１を制御して、まるめ処理が施されたことを識別するための識別情報としてのまるめ処理アイコン画像を生成して、図４に示したように、生成したアイコン画像２４２を前記写真画像データ２４３の横に表示する。まるめ処理フラグが立っていない場合には、当然、アイコン画像は表示されない。
【００１７】
ステップＳ６においては、オペレータによる手動補正を受け付ける状態で待機し、確定手段２６から確定処理の操作情報が入力されるとステップＳ７へ進み、手動補正手段２５からなんらかの手動補正情報が入力されるとステップＳ８へ進み、まるめ処理アイコン画像がクリックされるとステップＳ９へ進む。
ステップＳ８においては、オペレータが入力手段３を操作して入力する手動補正情報に基づいた補正処理を施して、再び記憶手段２１に一時的に格納するとともに、補正処理が施された写真画像データによって、随時、前記表示手段４に表示される画像が更新されて、前記補正処理が随時反映されるように構成され、再びステップＳ６に戻って待機する。
ステップＳ７では、確定したデータが、前記変換手段２７によって所定のフォーマットに変換されて、前記出力部５によって、ＤＶＤなどの記録媒体に出力される。
【００１８】
ステップＳ９では、まるめ処理の変更画面が表示され、自動的に施されたまるめ処理を解除することや、まるめ処理におけるオーバー側またはアンダー側の限界補正位置（補正開始ポイント）の変更や、限界補正率（補正強度）の変更などを設定することができる。
ステップＳ９においてまるめ処理が解除されると、まるめ処理が施される前の状態の写真画像データを記憶手段２１から読み出して画面制御手段２４を介して表示手段４に表示する。このとき、まるめ処理フラグをクリアしてフラグが立っていない状態に変更し、ステップＳ６に戻って待機する。
ステップＳ９において、まるめ処理におけるオーバー側またはアンダー側の限界補正位置（補正開始ポイント）や、限界補正率（補正強度）が変更されると、前記表示手段４に表示される画像が、前記変更された補正内容に従って更新されて、更新されたデータが記憶手段２１に一時的に格納されるとともに、再びステップＳ６に戻って待機する。
【００１９】
なお、前記画面制御手段２４とまるめ処理アイコン生成手段２４１とで、特許請求の範囲に記載された識別手段を構成し、前記ステップＳ９で、特許請求の範囲に記載された解除手段と変更手段を構成している。
【００２０】
図５に示したグラフは、まるめ処理における補正特性を示したものである。
図５の横軸はまるめ処理前の濃度を示し、縦軸はまるめ処理によって補正処理された後の濃度を示している。ほぼ斜めの太線はまるめ処理の特性線を示している。
図５においては、オーバー側のプラス限界補正位置が＋５、アンダー側のマイナス限界補正位置が−５、変更可能な限界補正率が、オーバー側でもアンダー側でも、それぞれ補正率０％、−５０％、−９９％の場合の特性線が示されている。
図５に例示された限界補正位置および変更可能な限界補正率は、当該写真処理装置１のセットアップ時に表示されるセットアップ画面で、適宜設定することができる。
【００２１】
以上のように、本発明の写真処理装置によれば、オペレータは、表示されている写真画像データに対してまるめ処理が施されたか否かを、表示手段の画面に表示されるまるめ処理アイコン画像の有無で知ることができるので、適正な手動補正処理を施すことが可能となる。
また、オペレータは、表示されている写真画像データがまるめ処理が施されたものであることを確認した場合でも、さらに適正なまるめ処理が好ましいと判断した場合には、まるめ処理の設定を変更することもできる。また、施されたまるめ処理が不適切であると判断した場合には解除することもできる。
このように、本発明の写真処理装置によれば、オペレータによって最適な補正処理を迅速に施すことが可能となったのである。
【図面の簡単な説明】
【００２２】
【図１】本発明にかかる写真処理装置の実施の形態の構成図である。
【図２】前記写真処理装置の要部の説明図である。
【図３】前記写真処理装置における画像処理の要部のフローチャートである。
【図４】前記写真処理装置における表示画面の例を示す図である。
【図５】前記写真処理装置におけるまるめ処理における補正特性を示す図である。
【符号の説明】
【００２３】
１  フィルムスキャナ
２  記画像処理部
３  入力手段
４  表示手段
５  出力部
２１  記憶手段
２２  判断手段
２３  まるめ処理手段
２４  画面制御手段、識別手段
２４１  まるめ処理アイコン生成手段、識別手段
２５  手動補正手段
２６  確定手段
２７  変換手段
ステップＳ９  解除手段、変更手段
【図１】
2007043529.tif 000003
【図２】
2007043529.tif 000004
【図３】
2007043529.tif 000005
【図４】
2007043529.tif 000006
【図５】
2007043529.tif 000007